(57)【特許請求の範囲】
【請求項１】
左眼用画像と右眼用画像とを含む三次元映像信号を処理する映像信号処理装置であって、
左眼用重畳画像と右眼用重畳画像とを生成するＯＳＤ制御部と、
前記左眼用画像に前記左眼用重畳画像を重畳し、かつ、前記右眼用画像に前記右眼用重畳画像を重畳することで、出力画像を生成する重畳部と、
前記出力画像を出力する映像出力部とを備え、
前記ＯＳＤ制御部は、
前記左眼用重畳画像を生成するための左眼用パラメータを保持する第１レジスタと、
前記右眼用重畳画像を生成するための右眼用パラメータを保持する第２レジスタとを有し、
前記ＯＳＤ制御部は、前記左眼用パラメータ及び前記右眼用パラメータを用いて所定の画像の画素位置をずらすことで、前記左眼用重畳画像と前記右眼用重畳画像とを生成し、
前記三次元映像信号は、１ライン中に前記左眼用画像の１ライン分と前記右眼用画像の１ライン分とをそれぞれ１ライン分の連続するデータとして交互に含んでおり、
前記映像信号処理装置は、さらに、
各前記１ライン中で、前記左眼用画像及び前記右眼用画像の双方の１ライン分の区切りを示す第１同期信号と、前記区切りのうち、前記左眼用画像及び前記右眼用画像のいずれか一方の１ライン分の区切りのみを示す第２同期信号とを生成する同期信号生成部と、
前記第２同期信号に基づいて前記左眼用画像と前記右眼用画像とを合成することで、合成画像を生成する合成部とを備え、
前記ＯＳＤ制御部は、
前記第１レジスタから前記左眼用パラメータを取得し、取得した左眼用パラメータを用いて前記左眼用重畳画像を生成する第１ＯＳＤ処理部と、
前記第２レジスタから前記右眼用パラメータを取得し、取得した右眼用パラメータを用いて前記右眼用重畳画像を生成する第２ＯＳＤ処理部とを有し、
前記重畳部は、前記第２同期信号に基づいて前記合成画像に前記左眼用重畳画像と前記右眼用重畳画像とを重畳し、
前記映像出力部は、前記第１同期信号に基づいて前記出力画像を出力する
映像信号処理装置。
【請求項２】
前記第１ＯＳＤ処理部は、さらに、右眼用の画像領域に、重畳する画像を透過させる右眼用透過画像を生成し、前記第２同期信号に基づいて前記左眼用重畳画像と前記右眼用透過画像とを１フレームの画像として出力し、
前記第２ＯＳＤ処理部は、さらに、左眼用の画像領域に、重畳する画像を透過させる左眼用透過画像を生成し、前記第２同期信号に基づいて前記右眼用重畳画像と前記左眼用透過画像とを１フレームの画像として出力し、
前記重畳部は、前記第２同期信号に基づいて、前記合成画像に前記左眼用重畳画像と前記右眼用透過画像とを重畳し、かつ、前記合成画像に前記右眼用重畳画像と前記左眼用透過画像とを重畳することで、前記出力画像を生成する
請求項１記載の映像信号処理装置。
【請求項３】
前記左眼用重畳画像及び前記右眼用重畳画像は、字幕、又はメニュー画像である
請求項１又は２に記載の映像信号処理装置。
【発明の詳細な説明】
【技術分野】
【０００１】
本発明は、映像信号処理装置に関し、特に、三次元映像信号を処理する映像信号処理装置に関する。
【背景技術】
【０００２】
従来、視聴者が立体的に感じる三次元映像を表示するために、左眼用画像と右眼用画像とを含む三次元映像信号を処理する映像信号処理装置が知られている（例えば、特許文献１参照）。左眼用画像と右眼用画像とは、視差を有しており、例えば、異なる位置に配置された２台のカメラによって生成される画像である。
【０００３】
映像信号処理装置は、例えば、入力された三次元映像信号にフォーマット変換処理を行う。フォーマット変換処理は、例えば、フレームレートの変換処理、画像サイズの変換処理、及び走査方式の変換処理などである。映像信号処理装置は、フォーマット変換処理を行った三次元映像信号を三次元映像表示装置に出力する。
【０００４】
三次元映像表示装置は、左眼用画像と右眼用画像とを所定の方式で表示させることで、視聴者が立体的に感じる三次元映像を表示する。例えば、三次元映像表示装置は、左眼用画像と右眼用画像とを１フレーム毎に交互に表示する。
【先行技術文献】
【特許文献】
【０００５】
【特許文献１】特開平４−２４１５９３号公報
【発明の概要】
【発明が解決しようとする課題】
【０００６】
しかしながら、上記従来技術には、従来の映像信号処理装置の回路を利用することが困難で、コストの増加を招いてしまうという課題がある。
【０００７】
１枚の三次元画像は、左眼用画像と右眼用画像の２枚の二次元画像によって構成される。つまり、従来の二次元映像と同等の画質を維持しながら、三次元映像を実現しようとする場合、従来の二次元映像（例えば、６０ｆｐｓ）の２倍のフレームレート（例えば、１２０ｆｐｓ）で画像を表示する必要がある。
【０００８】
これにより、三次元映像信号処理装置は、例えば、２倍のフレームレートで画像を処理することが可能な高性能な画像処理回路を備える必要がある。このような高性能な画像処理回路を実現しようとした場合、コストの増加、及び、従来の映像信号処理装置からの大幅な回路変更が必要となる。
【０００９】
そこで、本発明は、上記課題を解決するためになされたものであって、従来の映像信号処理装置の回路を可能な限り利用することで、コストの増加を抑制することができる映像信号処理装置及び映像信号処理方法を提供することを目的とする。
【課題を解決するための手段】
【００１０】
上記目的を達成するため、本発明に係る映像信号処理装置は、左眼用画像と右眼用画像とを含む三次元映像信号を処理する映像信号処理装置であって、左眼用重畳画像と右眼用重畳画像とを生成するＯＳＤ制御部と、前記左眼用画像に前記左眼用重畳画像を重畳し、かつ、前記右眼用画像に前記右眼用重畳画像を重畳することで、出力画像を生成する重畳部と、前記出力画像を出力する映像出力部とを備え、前記ＯＳＤ制御部は、前記左眼用重畳画像を生成するための左眼用パラメータを保持する第１レジスタと、前記右眼用重畳画像を生成するための右眼用パラメータを保持する第２レジスタとを有し、前記ＯＳＤ制御部は、前記左眼用パラメータ及び前記右眼用パラメータを用いて所定の画像の画素位置をずらすことで、前記左眼用重畳画像と前記右眼用重畳画像とを生成し、前記三次元映像信号は、１ライン中に前記左眼用画像の１ライン分と前記右眼用画像の１ライン分とをそれぞれ１ライン分の連続するデータとして交互に含んでおり、前記映像信号処理装置は、さらに、各前記１ライン中で、前記左眼用画像及び前記右眼用画像の双方の１ライン分の区切りを示す第１同期信号と、前記区切りのうち、前記左眼用画像及び前記右眼用画像のいずれか一方の１ライン分の区切りのみを示す第２同期信号とを生成する同期信号生成部と、前記第２同期信号に基づいて前記左眼用画像と前記右眼用画像とを合成することで、合成画像を生成する合成部とを備え、前記ＯＳＤ制御部は、前記第１レジスタから前記左眼用パラメータを取得し、取得した左眼用パラメータを用いて前記左眼用重畳画像を生成する第１ＯＳＤ処理部と、前記第２レジスタから前記右眼用パラメータを取得し、取得した右眼用パラメータを用いて前記右眼用重畳画像を生成する第２ＯＳＤ処理部とを有し、前記重畳部は、前記第２同期信号に基づいて前記合成画像に前記左眼用重畳画像と前記右眼用重畳画像とを重畳し、前記映像出力部は、前記第１同期信号に基づいて前記出力画像を出力する。
【００１１】
これにより、従来の映像信号処理装置の回路を可能な限り利用することで、コストの増加を抑制しつつ、三次元映像信号を処理することができる。
【００１７】
さらに、２つのＯＳＤ処理部がそれぞれに対応するレジスタからパラメータを取得することで、それぞれ左眼用重畳画像と右眼用重畳画像とを生成することができる。このとき、重畳部が左眼用画像と右眼用画像との区切りを認識しないように第２同期信号を用いることで、１枚の二次元画像として重畳部は左眼用画像と右眼用画像とを処理する。したがって、従来の映像信号処理装置が備えるＯＳＤ処理部をそのまま利用することができるので、コストの増加を抑制することができる。
【００１８】
また、前記第１ＯＳＤ処理部は、さらに、右眼用の画像領域に、重畳する画像を透過させる右眼用透過画像を生成し、前記第２同期信号に基づいて前記左眼用重畳画像と前記右眼用透過画像とを１フレームの画像として出力し、前記第２ＯＳＤ処理部は、さらに、左眼用の画像領域に、重畳する画像を透過させる左眼用透過画像を生成し、前記第２同期信号に基づいて前記右眼用重畳画像と前記左眼用透過画像とを１フレームの画像として出力し、前記重畳部は、前記第２同期信号に基づいて、前記合成画像に前記左眼用重畳画像と前記右眼用透過画像とを重畳し、かつ、前記合成画像に前記右眼用重畳画像と前記左眼用透過画像とを重畳することで、前記出力画像を生成してもよい。
【００１９】
これにより、左眼用画像に左眼用重畳画像を重畳する際に、右眼用画像には透過画像が重畳されるので、右眼用画像の画質を損なうことを防止することができる。同様に、右眼用画像に右眼用重畳画像を重畳する際に、左眼用画像には透過画像が重畳されるので、左眼用画像の画質を損なうことを防止することができる。
【００２１】
また、前記左眼用重畳画像及び前記右眼用重畳画像は、字幕、又はメニュー画像であってもよい。
【００２２】
なお、本発明は、上記に示す映像信号処理装置として実現できるだけではなく、当該映像信号処理装置を構成する処理部をステップとする方法として実現することもできる。また、これらステップをコンピュータに実行させるプログラムとして実現してもよい。さらに、当該プログラムを記録したコンピュータ読み取り可能なＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体、並びに、当該プログラムを示す情報、データ又は信号として実現してもよい。そして、それらプログラム、情報、データ及び信号は、インターネットなどの通信ネットワークを介して配信してもよい。
【００２３】
また、上記の各映像信号処理装置を構成する構成要素の一部又は全部は、１個のシステムＬＳＩ（Ｌａｒｇｅ  Ｓｃａｌｅ  Ｉｎｔｅｇｒａｔｉｏｎ：大規模集積回路）から構成されていてもよい。システムＬＳＩは、複数の構成部を１個のチップ上に集積して製造された超多機能ＬＳＩであり、具体的には、マイクロプロセッサ、ＲＯＭ及びＲＡＭ（Ｒａｎｄｏｍ  Ａｃｃｅｓｓ  Ｍｅｍｏｒｙ）などを含んで構成されるコンピュータシステムである。
【発明の効果】
【００２４】
本発明に係る映像信号処理装置及び映像信号処理方法によれば、従来の映像信号処理装置の回路を可能な限り利用することで、コストの増加を抑制することができる。
【図面の簡単な説明】
【００２５】
【図１】実施の形態１に係る映像信号処理装置を含む映像信号処理システムの構成を示すブロック図である。
【図２】フレームシーケンシャル方式の三次元映像信号の一例を示す図である。
【図３】実施の形態１に係る映像信号処理装置の構成を示すブロック図である。
【図４】実施の形態１に係るＯＳＤ画像の重畳処理を示す模式図である。
【図５】実施の形態１に係る映像信号処理装置の動作の一例を示すフローチャートである。
【図６】実施の形態１に係るＯＳＤ重畳部の動作の一例を示すフローチャートである。
【図７】ラインシーケンシャル方式の三次元映像信号の一例を示す図である。
【図８】実施の形態２に係る映像信号処理装置の構成を示すブロック図である。
【図９】実施の形態２に係る同期信号生成部の構成の一例を示すブロック図である。
【図１０】実施の形態２に係るＯＳＤ画像の重畳処理を示す模式図である。
【図１１】実施の形態２に係るＯＳＤ重畳部の動作の一例を示すフローチャートである。
【図１２】本発明に係る映像信号処理装置を備えるデジタルビデオレコーダ及びデジタルテレビの一例を示す外観図である。
【発明を実施するための形態】
【００２６】
以下では、本発明に係る映像信号処理装置及び映像信号処理方法について、実施の形態に基づいて図面を参照しながら詳細に説明する。
【００２７】
（実施の形態１）
実施の形態１に係る映像信号処理装置は、左眼用画像と右眼用画像とをフレームシーケンシャル方式で含む三次元映像信号を処理する映像信号処理装置であって、左眼用重畳画像と右眼用重畳画像とを生成するＯＳＤ制御部と、生成した左眼用重畳画像と右眼用重畳画像とを左眼用画像と右眼用画像とに重畳する重畳部とを備えることを特徴とする。具体的には、ＯＳＤ制御部は、左眼用重畳画像を生成するための左眼用パラメータを保持する第１レジスタと、右眼用重畳画像を生成するための右眼用パラメータを保持する第２レジスタと、第１レジスタと第２レジスタとを切り替えて左眼用重畳画像と右眼用重畳画像とを生成するＯＳＤ処理部とを備える。
【００２８】
まず、実施の形態１に係る映像信号処理装置を含む映像信号処理システムの構成について説明する。
【００２９】
図１は、実施の形態１に係る映像信号処理装置１００を含む映像信号処理システム１０の構成を示すブロック図である。
【００３０】
図１に示す映像信号処理システム１０は、デジタルビデオレコーダ２０と、デジタルテレビ３０と、シャッタメガネ４０とを備える。また、デジタルビデオレコーダ２０とデジタルテレビ３０とは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル４１によって接続されている。
【００３１】
デジタルビデオレコーダ２０は、映像信号記録再生装置の一例であり、記録媒体４２に記録されている三次元映像信号のフォーマットを変換し、変換した三次元映像信号を、ＨＤＭＩケーブル４１を介してデジタルテレビ３０に出力する。なお、フォーマットの変換は、例えば、フレームレートの変換、画像サイズの変換、及び走査方式の変換などである。
【００３２】
また、記録媒体４２は、例えば、ＢＤ（Ｂｌｕ−ｒａｙ  Ｄｉｓｃ）などの光ディスク、ＨＤＤ（Ｈａｒｄ  Ｄｉｓｋ  Ｄｒｉｖｅ）などの磁気ディスク、又は、不揮発性メモリなどである。
【００３３】
デジタルテレビ３０は、映像表示装置の一例であり、デジタルビデオレコーダ２０からＨＤＭＩケーブル４１を介して入力される三次元映像信号、又は、放送波４３に含まれる三次元映像信号のフォーマットを変換し、変換した三次元映像信号に含まれる三次元映像を表示する。なお、放送波４３は、例えば、地上デジタルテレビ放送、及び衛星デジタルテレビ放送などである。
【００３４】
シャッタメガネ４０は、三次元映像を見るために視聴者が装着するメガネであって、例えば、液晶シャッタメガネである。シャッタメガネ４０は、左眼用液晶シャッタと右眼用液晶シャッタとを備え、デジタルテレビ３０が表示する映像と同期してシャッタの開閉を制御することができる。
【００３５】
なお、デジタルビデオレコーダ２０は、放送波４３に含まれる三次元映像信号、又は、インターネットなどの通信網を介して取得した三次元映像信号のフォーマットを変換してもよい。また、デジタルビデオレコーダ２０は、外部の装置から外部入力端子（図示せず）を介して入力された三次元映像信号のフォーマットを変換してもよい。
【００３６】
同様に、デジタルテレビ３０は、記録媒体４２に記録されている三次元映像信号のフォーマットを変換してもよい。また、デジタルテレビ３０は、デジタルビデオレコーダ２０以外の外部の装置から、外部入力端子（図示せず）を介して入力された三次元映像信号のフォーマットを変換してもよい。
【００３７】
また、デジタルビデオレコーダ２０とデジタルテレビ３０とは、ＨＤＭＩケーブル４１以外の規格のケーブルによって接続されていてもよく、あるいは、無線通信網により接続されていてもよい。
【００３８】
以下では、デジタルビデオレコーダ２０、及びデジタルテレビ３０の詳細な構成について説明する。まず、デジタルビデオレコーダ２０について説明する。
【００３９】
図１に示すように、デジタルビデオレコーダ２０は、入力部２１と、デコーダ２２と、映像信号処理装置１００と、ＨＤＭＩ通信部２３とを備える。
【００４０】
入力部２１は、記録媒体４２に記録されている三次元映像信号５１を取得する。三次元映像信号５１は、例えば、ＭＰＥＧ−４  ＡＶＣ／Ｈ．２６４などの規格に基づいて圧縮符号化された符号化三次元映像を含んでいる。
【００４１】
デコーダ２２は、入力部２１によって取得された三次元映像信号５１を復号することで、入力三次元映像信号５２を生成する。
【００４２】
映像信号処理装置１００は、デコーダ２２によって生成された入力三次元映像信号５２を処理することで、出力三次元映像信号５３を生成する。映像信号処理装置１００の詳細な構成及び動作については、後で説明する。
【００４３】
ＨＤＭＩ通信部２３は、映像信号処理装置１００によって生成された出力三次元映像信号５３を、ＨＤＭＩケーブル４１を介してデジタルテレビ３０に出力する。
【００４４】
なお、デジタルビデオレコーダ２０は、生成した出力三次元映像信号５３を、当該デジタルビデオレコーダ２０が備える記憶部（ＨＤＤ及び不揮発性メモリなど）に記憶してもよい。あるいは、当該デジタルビデオレコーダ２０に着脱可能な記録媒体（光ディスクなど）に記録してもよい。
【００４５】
また、デジタルビデオレコーダ２０は、ＨＤＭＩケーブル４１以外の手段によってデジタルテレビ３０と接続されている場合は、ＨＤＭＩ通信部２３の代わりに、当該手段に対応した通信部を備えていてもよい。例えば、デジタルビデオレコーダ２０は、接続手段が無線通信網である場合は無線通信部を、接続手段が他の規格に従ったケーブルである場合は、当該規格に対応する通信部を備える。なお、デジタルビデオレコーダ２０は、これら複数の通信部を備え、複数の通信部を切り替えて利用してもよい。
【００４６】
続いて、デジタルテレビ３０について説明する。
【００４７】
図１に示すように、デジタルテレビ３０は、入力部３１と、デコーダ３２と、ＨＤＭＩ通信部３３と、映像信号処理装置１００と、表示パネル３４と、トランスミッタ３５とを備える。
【００４８】
入力部３１は、放送波４３に含まれる三次元映像信号５４を取得する。三次元映像信号５４は、例えば、ＭＰＥＧ−４  ＡＶＣ／Ｈ．２６４などの規格に基づいて圧縮符号化された符号化三次元映像を含んでいる。
【００４９】
デコーダ３２は、入力部３１によって取得された三次元映像信号５４を復号することで、入力三次元映像信号５５を生成する。
【００５０】
ＨＤＭＩ通信部３３は、デジタルビデオレコーダ２０のＨＤＭＩ通信部２３から出力された出力三次元映像信号５３を取得し、入力三次元映像信号５６として映像信号処理装置１００に出力する。
【００５１】
映像信号処理装置１００は、入力三次元映像信号５５及び５６を処理することで、出力三次元映像信号５７を生成する。映像信号処理装置１００の詳細な構成及び動作については、後で説明する。
【００５２】
表示パネル３４は、出力三次元映像信号５７に含まれる三次元映像を表示する。三次元映像は、視差を有する左眼用画像と右眼用画像とを含んでいる。左眼用画像が視聴者の左眼に、右眼用画像が視聴者の右眼にそれぞれ選択的に入射されることで、視聴者は、映像を立体的に感じることが可能となる。
【００５３】
トランスミッタ３５は、無線通信を用いて、シャッタメガネ４０のシャッタの開閉を制御する。例えば、表示パネル３４に左眼用画像と右眼用画像とがピクチャ毎に交互に表示される場合は、トランスミッタ３５は、表示パネル３４に左眼用画像が表示されている期間にシャッタメガネ４０の左眼用液晶シャッタを開け、右眼用液晶シャッタを閉じる。これにより、視聴者の左眼のみに左眼用画像が入射される。また、トランスミッタ３５は、表示パネル３４に右眼用画像が表示されている期間にシャッタメガネ４０の右眼用液晶シャッタを開け、左眼用液晶シャッタを閉じる。これにより、視聴者の右眼のみに右眼用画像が入射される。
【００５４】
なお、視聴者の左眼と右眼とに選択的に画像を入射する方法は、これに限られない。例えば、表示パネル３４が左眼用画像と右眼用画像とにそれぞれ異なる偏光をかけ、視聴者が、シャッタメガネ４０の代わりに、それぞれの偏光に対応する左眼用偏光フィルタと右眼用偏光フィルタとを有する偏光メガネを用いてもよい。
【００５５】
なお、デジタルテレビ３０は、デジタルビデオレコーダ２０と同様に、ＨＤＭＩケーブル４１以外の手段によってデジタルビデオレコーダ２０と接続されている場合は、ＨＤＭＩ通信部３３の代わりに、当該手段に対応した通信部を備えていてもよい。
【００５６】
続いて、実施の形態１に係る映像信号処理装置１００が処理する三次元映像信号の一例について説明する。実施の形態１に係る映像信号処理装置１００は、図２に示すように、左眼用画像と右眼用画像とをフレームシーケンシャル方式で含む三次元映像信号を処理する。なお、図２は、フレームシーケンシャル方式の三次元映像信号の一例を示す図である。
【００５７】
図２に示す三次元映像信号に含まれる画像は、フルハイビジョン画像（１９２０×１０８０）であり、フレームレートは２４Ｈｚ、走査方式はプログレッシブ方式となっている。また、図２に示す三次元映像信号は、左眼用画像と右眼用画像とを１ピクチャ毎に交互に含んでいるフレームシーケンシャル方式の三次元映像信号である。
【００５８】
また、図２には、水平同期信号（ｈｒｅｓｅｔ）、垂直同期信号（ｖｒｅｓｅｔ）、ＬＲＩＤ（Ｌｅｆｔ−Ｒｉｇｈｔ  ＩＤ）信号、及びＦＩＤ（Ｆｒａｍｅ  ＩＤ）信号が示されている。
【００５９】
水平同期信号（ｈｒｅｓｅｔ）は、水平ラインの区切りを示す信号である。具体的には、水平同期信号（ｈｒｅｓｅｔ）は、パルスを含み、当該パルスによって左眼用画像又は右眼用画像の１ラインの区切りを示している。
【００６０】
垂直同期信号（ｖｒｅｓｅｔ）は、ピクチャの区切りを示す信号である。具体的には、垂直同期信号（ｖｒｅｓｅｔ）は、パルスを含み、当該パルスによって左眼用画像又は右眼用画像の１ピクチャの区切りを示している。
【００６１】
ＬＲＩＤ信号は、ピクチャが左眼用画像であるか右眼用画像であるかを示す信号である。図２に示す例では、ＬＲＩＤ信号がＬｏｗ状態である場合は、ピクチャが左眼用画像であることを示し、ＬＲＩＤ信号がＨｉｇｈ状態である場合は、ピクチャが右眼用画像であることを示す。
【００６２】
ＦＩＤ信号は、１フレーム期間毎にＬｏｗ状態とＨｉｇｈ状態とを繰り返す信号である。図２に示す例では、１フレームは、フルハイビジョン画像である左眼用画像（１９２０×１０８０）と、フルハイビジョン画像である右眼用画像（１９２０×１０８０）とから構成される。
【００６３】
以下では、実施の形態１に係る映像信号処理装置１００の詳細な構成及び動作について説明する。なお、図１に示したように、実施の形態１に係る映像信号処理装置１００は、映像信号記録再生装置に備えられていてもよく、映像表示装置に備えられていてもよい。ここでは、映像信号記録再生装置の一例であるデジタルビデオレコーダ２０が備える映像信号処理装置１００について説明する。
【００６４】
図３は、実施の形態１に係る映像信号処理装置１００の構成を示すブロック図である。映像信号処理装置１００は、所定のピクセルレート（動作周波数）で動作する。図３に示すように、映像信号処理装置１００は、画像処理部１１０と、映像出力部１７０と、同期信号生成部１８０とを備える。なお、映像信号処理装置１００に入力された入力三次元映像信号５２は、一時的にＤＲＡＭ（Ｄｙｎａｍｉｃ  Ｒａｎｄｏｍ  Ａｃｃｅｓｓ  Ｍｅｍｏｒｙ）などのメモリに格納される。
【００６５】
画像処理部１１０は、入力三次元映像信号５２が一時的に格納されるメモリから左眼用画像及び右眼用画像を読み出し、リサイズ、及び画像合成などを行う。また、画像処理部１１０は、映画の字幕、メニュー画像などの二次元画像から左眼用重畳画像及び右眼用重畳画像を生成し、生成した左眼用重畳画像及び右眼用重畳画像をそれぞれ左眼用画像及び右眼用画像に重畳する。
【００６６】
なお、左眼用重畳画像は、左眼用画像に重畳される画像であって、例えば、映画の字幕、メニュー画像などのＯＳＤ（Ｏｎ  Ｓｃｒｅｅｎ  Ｄｉｓｐｌａｙ）画像の画素位置を水平方向にずらすことによって生成される左眼用ＯＳＤ画像である。また、右眼用重畳画像は、右眼用画像に重畳される画像であって、例えば、映画の字幕、メニュー画像などのＯＳＤ画像の画素位置を水平方向にずらすことによって生成される右眼用ＯＳＤ画像である。
【００６７】
なお、例えば、左眼用画像は、左眼用画像メモリ２０１に格納され、右眼用画像は、右眼用画像メモリ２０２に格納される。また、左眼用ＯＳＤ画像を生成するためのＯＳＤ画像は、左眼用ＯＳＤメモリ２０３に格納され、右眼用ＯＳＤ画像を生成するためのＯＳＤ画像は、右眼用ＯＳＤメモリ２０４に格納される。
【００６８】
左眼用ＯＳＤ画像と右眼用ＯＳＤ画像とが全く同一のＯＳＤ画像から生成される場合は、左眼用ＯＳＤメモリ２０３及び右眼用ＯＳＤメモリ２０４のいずれか一方のみが備えられていればよい。
【００６９】
左眼用画像メモリ２０１、右眼用画像メモリ２０２、左眼用ＯＳＤメモリ２０３、及び右眼用ＯＳＤメモリ２０４は、ＤＲＡＭなどのメモリである。これらメモリは、物理的に異なるメモリであってもよく、あるいは、論理的に分割された物理的に１つのメモリであってもよく、あるいは、時間的に分割された物理的に１つのメモリであってもよい。また、図３には、これらのメモリは、映像信号処理装置１００の外部メモリである例を示したが、映像信号処理装置１００がこれらのメモリを備えていてもよい。
【００７０】
画像処理部１１０は、図３に示すように、主画面処理部１２０と、ＯＳＤ制御部１５０と、ＯＳＤ重畳部１６０とを備える。なお、画像処理部１１０は、同期信号生成部１８０によって生成される水平同期信号及び垂直同期信号に基づいて、映像出力部１７０と同期しながら処理を行う。
【００７１】
主画面処理部１２０は、左眼用画像メモリ２０１から左眼用画像を読み出し、読み出した左眼用画像のリサイズを行う。さらに、主画面処理部１２０は、右眼用画像メモリ２０２から右眼用画像を読み出し、読み出した右眼用画像のリサイズを行う。図３に示すように、主画面処理部１２０は、メモリ制御部１２１と、リサイズ部１２２とを備える。
【００７２】
メモリ制御部１２１は、リサイズ部１２２からの要求に応じて、左眼用画像メモリ２０１及び右眼用画像メモリ２０２に対するデータの読み出し及び書き込みを制御する。具体的には、メモリ制御部１２１は、左眼用画像又は右眼用画像を示す画像データの読み出し及び書き込みを制御する。
【００７３】
リサイズ部１２２は、メモリ制御部１２１を介して左眼用画像メモリ２０１から左眼用画像を読み出し、読み出した左眼用画像をリサイズ、すなわち、拡大又は縮小する。リサイズされた左眼用画像は、ＯＳＤ重畳部１６０へ出力される。さらに、リサイズ部１２２は、メモリ制御部１２１を介して右眼用画像メモリ２０２から右眼用画像を読み出し、読み出した右眼用画像をリサイズ、すなわち、拡大又は縮小する。リサイズされた右眼用画像は、ＯＳＤ重畳部１６０へ出力される。例えば、リサイズ部１２２は、左眼用画像と右眼用画像とをシーケンシャルに読み出し、左眼用画像及び右眼用画像をそれぞれリサイズする。なお、リサイズ部１２２は、読み出した左眼用画像及び右眼用画像をリサイズすることなく、ＯＳＤ重畳部１６０へ出力してもよい。
【００７４】
なお、主画面処理部１２０は、リサイズ以外の処理を行ってもよい。例えば、主画面処理部１２０は、走査方式の変換（インターレース方式からプログレッシブ方式、又はプログレッシブ方式からインターレース方式）、又は、画像の切り出しを行ってもよい。
【００７５】
ＯＳＤ制御部１５０は、左眼用ＯＳＤメモリ２０３及び右眼用ＯＳＤメモリ２０４から第１画像及び第２画像を読み出し、読み出した第１画像及び第２画像を用いて左眼用重畳画像及び右眼用重畳画像を生成する。具体的には、ＯＳＤ制御部１５０は、左眼用ＯＳＤメモリ２０３から第１ＯＳＤ画像を読み出し、読み出した第１ＯＳＤ画像を用いて左眼用ＯＳＤ画像を生成する。また、ＯＳＤ制御部１５０は、右眼用ＯＳＤメモリ２０４から第２ＯＳＤ画像を読み出し、読み出した第２ＯＳＤ画像を用いて右眼用ＯＳＤ画像を生成する。
【００７６】
図３に示すように、ＯＳＤ制御部１５０は、メモリ制御部１５１と、第１レジスタ１５２と、第２レジスタ１５３と、ＯＳＤ処理部１５４とを備える。
【００７７】
メモリ制御部１５１は、ＯＳＤ処理部１５４からの要求に応じて、左眼用ＯＳＤメモリ２０３及び右眼用ＯＳＤメモリ２０４に対するデータの読み出し及び書き込みを制御する。
【００７８】
第１レジスタ１５２は、左眼用ＯＳＤ画像を生成するための左眼用パラメータを保持するレジスタである。具体的には、第１レジスタ１５２は、第１ＯＳＤ画像の画素位置を水平方向にずらす（シフトさせる）ための左眼用パラメータを保持する。例えば、左眼用パラメータは、水平方向への画素位置のずらし量を示す。
【００７９】
なお、第１レジスタ１５２は、所定の画像の表示位置を示す二次元用パラメータを保持していてもよい。
【００８０】
第２レジスタ１５３は、右眼用ＯＳＤ画像を生成するための右眼用パラメータを保持するレジスタである。具体的には、第２レジスタ１５３は、第２ＯＳＤ画像の画素位置を水平方向にずらす（シフトさせる）ための右眼用パラメータを保持する。例えば、右眼用パラメータは、水平方向への画素位置のずらし量を示す。なお、第１ＯＳＤ画像と第２ＯＳＤ画像とは、同じであってもよい。
【００８１】
ＯＳＤ処理部１５４は、垂直同期信号（ｖｒｅｓｅｔ）に基づいて第１レジスタ１５２と第２レジスタ１５３とを切り替えることで、左眼用画像と同期させて第１レジスタ１５２から左眼用パラメータを取得し、右眼用画像と同期させて第２レジスタ１５３から右眼用パラメータを取得する。言い換えると、ＯＳＤ処理部１５４は、左眼用画像を処理する期間には第１レジスタ１５２から左眼用パラメータを取得し、右眼用画像を処理する期間には第２レジスタ１５３から右眼用パラメータを取得する。具体的には、ＯＳＤ処理部１５４は、ＬＲＩＤ信号がＬｏｗ状態である期間に第１レジスタ１５２を選択し、ＬＲＩＤ信号がＨｉｇｈ状態である期間に第２レジスタ１５３を選択する。
【００８２】
ＯＳＤ処理部１５４は、左眼用パラメータ及び右眼用パラメータを用いて左眼用ＯＳＤ画像及び右眼用ＯＳＤ画像を生成する。例えば、ＯＳＤ処理部１５４は、左眼用パラメータが示すずらし量だけ、第１ＯＳＤ画像を水平方向にずらすことで左眼用ＯＳＤ画像を生成する。同様に、ＯＳＤ処理部１５４は、右眼用パラメータが示すずらし量だけ、第２ＯＳＤ画像を水平方向にずらすことで右眼用ＯＳＤ画像を生成する。
【００８３】
なお、第１レジスタ１５２及び第２レジスタ１５３は、画素位置のずらし量を示すパラメータだけではなく、画像の切り出し位置などを示す切り出しパラメータを保持していてもよい。この場合、ＯＳＤ処理部１５４は、第１レジスタ１５２及び第２レジスタ１５３から切り出しパラメータを取得し、取得したパラメータに基づいて第１ＯＳＤ画像及び第２ＯＳＤ画像を切り出すことで、左眼用ＯＳＤ画像及び右眼用ＯＳＤ画像を生成する。
【００８４】
また、第１レジスタ１５２及び第２レジスタ１５３は、第１ＯＳＤ画像及び第２ＯＳＤ画像の表示位置を示すパラメータを保持していてもよい。ＯＳＤ処理部１５４は、第１ＯＳＤ画像の表示位置と第２ＯＳＤ画像の表示位置とを異ならせることで、視差を有する左眼用ＯＳＤ画像及び右眼用ＯＳＤ画像を生成することができる。
【００８５】
また、ＯＳＤ処理部１５４は、入力された映像信号が二次元映像信号である場合、第１レジスタ１５２に保持された二次元用パラメータを取得し、取得した二次元用パラメータを用いて所定のＯＳＤ画像の表示位置を制御することで、二次元用のＯＳＤ画像を生成してもよい。
【００８６】
ＯＳＤ重畳部１６０は、左眼用ＯＳＤ画像及び右眼用ＯＳＤ画像を合成画像に重畳することで、出力画像を生成する。具体的には、ＯＳＤ重畳部１６０は、左眼用画像に左眼用ＯＳＤ画像を重畳し、かつ、右眼用画像に右眼用ＯＳＤ画像を重畳する。生成された出力画像は、映像出力部１７０へ出力される。
【００８７】
映像出力部１７０は、出力画像をＨＤＭＩ通信部２３へ出力する。このとき、映像出力部１７０は、同期信号生成部１８０によって生成された水平同期信号（ｈｒｅｓｅｔ）及び垂直同期信号（ｖｒｅｓｅｔ）に基づいて、画像処理部１１０と同期しながら動作する。
【００８８】
同期信号生成部１８０は、水平同期信号（ｈｒｅｓｅｔ）及び垂直同期信号（ｖｒｅｓｅｔ）を生成する。例えば、同期信号生成部１８０は、入力された三次元映像信号の走査方式、フレームレート、及び画像サイズ、並びに映像信号処理装置１００の動作周波数に基づいて、水平同期信号及び垂直同期信号を生成する。
【００８９】
例えば、映像信号処理装置１００は、１４８．５ＭＨｚのピクセルレート（動作周波数）で動作する場合を想定する。さらに、ここでは、図３に示すように、入力された三次元映像信号の走査方式はプログレッシブ方式であり、フレームレートは２４Ｈｚ、画像サイズはフルハイビジョン画像（１９２０×１０８０）である場合を想定する。
【００９０】
同期信号生成部１８０は、映像信号処理装置１００の動作周波数のクロック信号のパルスをカウントすることで、水平同期信号（ｈｒｅｓｅｔ）を生成する。つまり、同期信号生成部１８０は、カウント値が第１閾値（図２に示す例では、２７４９（カウント値が０から開始した場合））に達した場合にＬｏｗ状態からＨｉｇｈ状態となるパルスを含む水平同期信号（ｈｒｅｓｅｔ）を生成する。
【００９１】
なお、第１閾値は、有効画像期間（１９２０画素）とブランキング期間（８３０画素）との合計値である。ブランキング期間は、有効画像期間の前のみ、後のみ、又は前後に位置する期間であって、動作周波数、フレームレート、画像サイズによって決定される。
【００９２】
また、同期信号生成部１８０は、水平同期信号（ｈｒｅｓｅｔ）に含まれるパルスの数をカウントすることで、垂直同期信号（ｖｒｅｓｅｔ）を生成する。つまり、同期信号生成部１８０は、カウント値が第２閾値（図２に示す例では、１１２４（カウント値が０から開始した場合））に達した場合にＬｏｗ状態からＨｉｇｈ状態となるパルスを含む垂直同期信号（ｖｒｅｓｅｔ）を生成する。
【００９３】
なお、第２閾値は、有効画像期間（１０８０ライン）とブランキング期間（４５ライン）との合計値である。ブランキング期間は、有効画像期間の前のみ、後のみ、又は前後に位置する期間であって、動作周波数、フレームレート、画像サイズによって決定される。
【００９４】
以上のようにして生成された水平同期信号（ｈｒｅｓｅｔ）及び垂直同期信号（ｖｒｅｓｅｔ）は、画像処理部１１０及び映像出力部１７０へ出力される。すなわち、画像処理部１１０と映像出力部１７０とは、同一の同期信号に基づいて動作する。
【００９５】
次に、左眼用画像及び右眼用画像に左眼用ＯＳＤ画像及び右眼用ＯＳＤ画像を重畳する処理について説明する。図４は、実施の形態１に係るＯＳＤ画像の重畳処理を示す模式図である。
【００９６】
図２に示したように、実施の形態１に係る三次元映像信号は、左眼用画像と右眼用画像とをフレームシーケンシャル方式で含んでいる。すなわち、図４に示すように、ＯＳＤ重畳部１６０には、主画面処理部１２０から、左眼用画像と右眼用画像とが１ピクチャ毎に交互に入力される。このとき、左眼用画像と右眼用画像とのピクチャの区切りは、同期信号生成部１８０によって生成される垂直同期信号（ｖｒｅｓｅｔ）によって判断される。
【００９７】
ＯＳＤ制御部１５０は、上述のように、第１レジスタ１５２と第２レジスタ１５３とを切り替えながら、左眼用ＯＳＤ画像と右眼用ＯＳＤ画像とをピクチャ単位でシーケンシャルに生成する。このとき、ＯＳＤ制御部１５０は、垂直同期信号（ｖｒｅｓｅｔ）のパルスが入力される度に、第１レジスタ１５２と第２レジスタ１５３とを切り替える。これにより、ＯＳＤ制御部１５０は、左眼用ＯＳＤ画像と右眼用ＯＳＤ画像とを１ピクチャ毎に交互に生成する。したがって、図４に示すように、ＯＳＤ重畳部１６０には、ＯＳＤ制御部１５０から左眼用ＯＳＤ画像と右眼用ＯＳＤ画像とが１ピクチャ毎に交互に入力される。
【００９８】
ＯＳＤ重畳部１６０には、同期信号生成部１８０によって生成された水平同期信号（ｈｒｅｓｅｔ）及び垂直同期信号（ｖｒｅｓｅｔ）が入力される。入力される水平同期信号（ｈｒｅｓｅｔ）及び垂直同期信号（ｖｒｅｓｅｔ）に基づいて、ＯＳＤ重畳部１６０は、左眼用画像に左眼用ＯＳＤ画像を重畳し、そして、右眼用画像に右眼用ＯＳＤ画像を重畳する。ＯＳＤ重畳部１６０は、垂直同期信号（ｖｒｅｓｅｔ）によって左眼用画像と右眼用画像とのピクチャの区切り、すなわち、左眼用ＯＳＤ画像と右眼用ＯＳＤ画像との区切りを判断することができる。
【００９９】
このようにして、ＯＳＤ重畳部１６０は、左眼用ＯＳＤ画像が重畳された左眼用出力画像と、右眼用ＯＳＤ画像が重畳された右眼用出力画像とを１ピクチャ毎に交互に生成する。生成された左眼用出力画像と右眼用出力画像とは、映像出力部１７０へ出力される。映像出力部１７０は、左眼用出力画像と右眼用出力画像とをフレームシーケンシャル方式で含む映像を、出力映像としてＨＤＭＩ通信部２３へ出力する。
【０１００】
次に、実施の形態１に係る映像信号処理装置１００の動作について説明する。
【０１０１】
図５は、実施の形態１に係る映像信号処理装置１００の動作の一例を示すフローチャートである。
【０１０２】
まず、主画面処理部１２０はそれぞれ、左眼用画像と右眼用画像とをシーケンシャルに処理する（Ｓ１１０）。
【０１０３】
具体的には、主画面処理部１２０は、左眼用画像メモリ２０１から左眼用画像を読み出し、読み出した左眼用画像をリサイズすることで左眼用画像を処理する。続いて、主画面処理部１２０は、右眼用画像メモリ２０２から右眼用画像を読み出し、読み出した右眼用画像をリサイズすることで右眼用画像を処理する。
【０１０４】
次に、ＯＳＤ制御部１５０は、左眼用ＯＳＤ画像と右眼用ＯＳＤ画像とを生成する（Ｓ１２０）。具体的には、ＯＳＤ制御部１５０が備えるＯＳＤ処理部１５４が、第１レジスタ１５２と第２レジスタ１５３とを垂直同期信号（ｖｒｅｓｅｔ）に基づいて切り替えながら、シーケンシャルに左眼用ＯＳＤ画像と右眼用ＯＳＤ画像とを生成する。
【０１０５】
続いて、ＯＳＤ重畳部１６０は、左眼用ＯＳＤ画像と右眼用ＯＳＤ画像とを合成画像に重畳する（Ｓ１３０）。ＯＳＤ重畳部１６０が行う重畳処理の詳細は、図６を用いて後で説明する。重畳により生成された出力画像は、映像出力部１７０へ出力される。
【０１０６】
最後に、映像出力部１７０は、出力画像を出力する（Ｓ１４０）。具体的には、水平同期信号（ｈｒｅｓｅｔ）及び垂直同期信号（ｖｒｅｓｅｔ）に基づいて、左眼用出力画像と右眼用出力画像とを１ピクチャ毎に交互に出力する。
【０１０７】
続いて、実施の形態１に係る重畳処理の詳細について説明する。図６は、実施の形態１に係るＯＳＤ重畳部１６０の動作の一例を示すフローチャートである。
【０１０８】
まず、ＯＳＤ重畳部１６０は、水平同期信号（ｈｒｅｓｅｔ）の検出を行う（Ｓ１３１）。水平同期信号（ｈｒｅｓｅｔ）のパルスが検出された場合（Ｓ１３１でＹｅｓ）、ＯＳＤ重畳部１６０は、１ライン分の左眼用画像に１ライン分の左眼用ＯＳＤ画像を重畳する（Ｓ１３２）。ＯＳＤ重畳部１６０は、垂直同期信号（ｖｒｅｓｅｔ）のパルスが検出されるまで、左眼用ＯＳＤ画像の重畳を繰り返す（Ｓ１３３）。
【０１０９】
ＯＳＤ重畳部１６０が垂直同期信号（ｖｒｅｓｅｔ）のパルスを検出した場合（Ｓ１３３でＹｅｓ）、水平同期信号（ｈｒｅｓｅｔ）の検出を行う（Ｓ１３４）。水平同期信号（ｈｒｅｓｅｔ）のパルスが検出された場合（Ｓ１３４でＹｅｓ）、ＯＳＤ重畳部１６０は、１ライン分の右眼用画像に１ライン分の右眼用ＯＳＤ画像を重畳する（Ｓ１３５）。ＯＳＤ重畳部１６０は、垂直同期信号（ｖｒｅｓｅｔ）のパルスが検出されるまで、右眼用ＯＳＤ画像の重畳を繰り返す（Ｓ１３６）。
【０１１０】
さらに、ＯＳＤ重畳部１６０は、三次元映像信号が終了するまで、あるいは、左眼用ＯＳＤ画像及び右眼用ＯＳＤ画像が終了するまで、以上の重畳処理（Ｓ１３１〜Ｓ１３６）を繰り返す（Ｓ１３７）。
【０１１１】
以上のようにして、ＯＳＤ重畳部１６０は、左眼用ＯＳＤ画像の重畳と右眼用ＯＳＤ画像の重畳とをピクチャ単位でシーケンシャルに行う。言い換えると、ＯＳＤ重畳部１６０は、第１期間に左眼用画像に左眼用ＯＳＤ画像を重畳し、第１期間とは異なる第２期間に右眼用画像に右眼用ＯＳＤ画像を重畳する。第１期間と第２期間とは、垂直同期信号によって定められる期間である。
【０１１２】
なお、上記の説明では、重畳処理を１ライン毎に行う構成について説明したが、１ピクチャ毎に行ってもよい。
【０１１３】
以上のように、実施の形態１に係る映像信号処理装置１００は、左眼用重畳画像を生成するための左眼用パラメータを保持する第１レジスタ１５２と、右眼用重畳画像を生成するための右眼用パラメータを保持する第２レジスタ１５３と、左眼用重畳画像及び右眼用重畳画像を生成するＯＳＤ処理部１５４とを備える。
【０１１４】
従来の二次元映像を出力する映像信号処理装置は、例えば、重畳画像を生成するためのパラメータを保持するレジスタと、パラメータを用いて重畳画像を生成するＯＳＤ処理部とを備えている。したがって、実施の形態１に係る映像信号処理装置１００は、さらに、新たなレジスタを１つ備えるだけで、従来のレジスタを第１レジスタ１５２として用い、新たなレジスタを第２レジスタ１５３として用い、従来のＯＳＤ処理部を本実施の形態に係るＯＳＤ処理部１５４として用いることができる。
【０１１５】
これにより、実施の形態１に係る映像信号処理装置１００は、従来の映像信号処理装置の回路構成を大幅に変更することなく実現可能であり、コストの増加を抑制することができるとともに、三次元映像信号を処理することが可能となる。
【０１１６】
（実施の形態２）
実施の形態２に係る映像信号処理装置は、左眼用画像と右眼用画像とをラインシーケンシャル方式で含む三次元映像信号を処理する映像信号処理装置であって、左眼用重畳画像を生成する左眼用ＯＳＤ制御部と、右眼用重畳画像を生成する右眼用ＯＳＤ制御部とを備えることを特徴とする。左眼用ＯＳＤ制御部は、左眼用重畳画像を生成するための左眼用パラメータを保持するレジスタと、左眼用パラメータを用いて左眼用重畳画像を生成する左眼用ＯＳＤ処理部とを備える。右眼用ＯＳＤ制御部は、右眼用重畳画像を生成するための右眼用パラメータを保持するレジスタと、右眼用パラメータを用いて右眼用重畳画像を生成する右眼用ＯＳＤ処理部とを備える。言い換えると、実施の形態２に係る映像信号処理装置は、２つのレジスタと、２つのＯＳＤ処理部とを備えることを特徴とする。
【０１１７】
まず、実施の形態２に係る映像信号処理装置が処理する三次元映像信号の一例について説明する。実施の形態２に係る映像信号処理装置は、図７に示すように、左眼用画像と右眼用画像とをラインシーケンシャル方式で含む三次元映像信号を処理する。なお、図７は、ラインシーケンシャル方式の三次元映像信号の一例を示す図である。
【０１１８】
図７に示す三次元映像信号に含まれる画像は、フルハイビジョン画像（１９２０×１０８０）であり、フレームレートは６０Ｈｚ、走査方式はインターレース方式となっている。また、図７に示す三次元映像信号は、左眼用画像と右眼用画像とを１ライン毎に交互に含んでいるラインシーケンシャル方式の三次元映像信号である。
【０１１９】
また、図７には、映像出力用の水平同期信号（ｈｒｅｓｅｔ１）、重畳処理用の水平同期信号（ｈｒｅｓｅｔ２）、垂直同期信号（ｖｒｅｓｅｔ）、ＬＲＩＤ信号、及びＦＩＤ信号が示されている。
【０１２０】
映像出力用の水平同期信号（ｈｒｅｓｅｔ１）は、水平ラインの区切りをピクチャ毎に示す信号である。すなわち、映像出力用の水平同期信号（ｈｒｅｓｅｔ１）は、パルスを含み、当該パルスによって左眼用画像の水平ラインの区切りと、右眼用画像の水平ラインの区切りとを示す。
【０１２１】
重畳処理用の水平同期信号（ｈｒｅｓｅｔ２）は、水平ラインの区切りをフレーム毎に示す信号である。具体的には、重畳処理用の水平同期信号（ｈｒｅｓｅｔ２）は、パルスを含み、左眼用画像及び右眼用画像のいずれか一方のラインの区切りのみを示す。図７に示す例では、右眼用画像のラインの区切りを示している。これにより、重畳処理用の水平同期信号（ｈｒｅｓｅｔ２）が入力された処理部は、左眼用画像と右眼用画像とを１フレームの画像として処理することが可能となる。
【０１２２】
図７に示す三次元映像信号では、１フレーム内に１枚の左眼用画像と１枚の右眼用画像とが含まれるため、映像出力用の水平同期信号（ｈｒｅｓｅｔ１）に一定期間内に含まれるパルスの数は、重畳処理用の水平同期信号（ｈｒｅｓｅｔ２）に上記期間内に含まれるパルスの数の２倍である。
【０１２３】
垂直同期信号（ｖｒｅｓｅｔ）は、ピクチャの区切りを示す信号である。図７に示す三次元映像信号は、インターレース方式の映像信号であるので、垂直同期信号（ｖｒｅｓｅｔ）は、フィールドの区切りを示す。
【０１２４】
ＬＲＩＤ信号は、ピクチャ（フィールド）が左眼用画像であるか右眼用画像であるかを示す信号である。図７に示す例では、ＬＲＩＤ信号がＬｏｗ状態である場合は、ピクチャが左眼用画像であることを示す。ＬＲＩＤ信号がＨｉｇｈ状態である場合は、ピクチャが右眼用画像であることを示す。
【０１２５】
ＦＩＤ信号は、１フレーム期間毎にＬｏｗ状態とＨｉｇｈ状態とを繰り返す信号である。図７に示す例では、１フレームは、フルハイビジョン画像である左眼用画像のトップフィールド又はボトムフィールド（１９２０×５４０）と、フルハイビジョン画像である右眼用画像のトップフィールド又はボトムフィールド（１９２０×５４０）とから構成される。
【０１２６】
以下では、実施の形態２に係る映像信号処理装置の詳細な構成及び動作について説明する。図８は、実施の形態２に係る映像信号処理装置３００の構成を示すブロック図である。
【０１２７】
実施の形態２に係る映像信号処理装置３００は、実施の形態１に係る映像信号処理装置１００と同様に、図１に示す映像信号処理システム１０を構成するデジタルビデオレコーダ２０及びデジタルテレビ３０に備えられる。
【０１２８】
なお、以下では、実施の形態１に係る映像信号処理装置１００と同じ構成要素には同じ符号を付しており、説明を省略し、異なる点を中心に説明する。
【０１２９】
図８に示すように、実施の形態２に係る映像信号処理装置３００は、画像処理部１１０の代わりに画像処理部３１０を備え、同期信号生成部１８０の代わりに同期信号生成部３８０を備える。また、画像処理部３１０は、主画面処理部３２０と、副画面処理部３３０と、二画面合成部３４０と、第１ＯＳＤ制御部３５０ａと、第２ＯＳＤ制御部３５０ｂと、ＯＳＤ重畳部３６０とを備える。
【０１３０】
主画面処理部３２０は、左眼用画像メモリ２０１から左眼用画像を読み出し、読み出した左眼用画像のリサイズを行う。図８に示すように、主画面処理部３２０は、メモリ制御部３２１と、リサイズ部３２２とを備える。
【０１３１】
メモリ制御部３２１は、リサイズ部３２２からの要求に応じて、左眼用画像メモリ２０１に対するデータの読み出し及び書き込みを制御する。具体的には、メモリ制御部３２１は、左眼用画像を示す画像データの読み出し及び書き込みを制御する。
【０１３２】
リサイズ部３２２は、メモリ制御部３２１を介して左眼用画像メモリ２０１から左眼用画像を読み出し、読み出した左眼用画像をリサイズ、すなわち、拡大又は縮小する。リサイズされた左眼用画像は、二画面合成部３４０へ出力される。なお、リサイズ部３２２は、読み出した左眼用画像をリサイズすることなく、二画面合成部３４０へ出力してもよい。
【０１３３】
なお、主画面処理部３２０は、リサイズ以外の処理を行ってもよい。例えば、主画面処理部３２０は、走査方式の変換（インターレース方式からプログレッシブ方式、又はプログレッシブ方式からインターレース方式）、又は、画像の切り出しを行ってもよい。
【０１３４】
また、主画面処理部３２０は、入力された映像信号が二次元画像から構成される二次元映像信号である場合、同様に、二次元画像のリサイズなどの処理を行ってもよい。また、二次元映像信号が、主画面用の画像と副画面用の画像とからなるＰｉｎＰ（Ｐｉｃｔｕｒｅ−ｉｎ−Ｐｉｃｔｕｒｅ）画像を含む場合、主画面用の画像のリサイズを行う。
【０１３５】
副画面処理部３３０は、右眼用画像メモリ２０２から右眼用画像を読み出し、読み出した右眼用画像のリサイズを行う。図８に示すように、副画面処理部３３０は、メモリ制御部３３１と、リサイズ部３３２とを備える。
【０１３６】
メモリ制御部３３１は、リサイズ部３３２からの要求に応じて、右眼用画像メモリ２０２に対するデータの読み出し及び書き込みを制御する。具体的には、メモリ制御部３３１は、右眼用画像を示す画像データの読み出し及び書き込みを制御する。
【０１３７】
リサイズ部３３２は、メモリ制御部３３１を介して右眼用画像メモリ２０２から右眼用画像を読み出し、読み出した右眼用画像をリサイズ、すなわち、拡大又は縮小する。リサイズされた右眼用画像は、二画面合成部３４０へ出力される。なお、リサイズ部３３２は、読み出した右眼用画像をリサイズすることなく、二画面合成部３４０へ出力してもよい。
【０１３８】
なお、副画面処理部３３０は、リサイズ以外の処理を行ってもよい。例えば、副画面処理部３３０は、走査方式の変換（インターレース方式からプログレッシブ方式、又はプログレッシブ方式からインターレース方式）、又は、画像の切り出しを行ってもよい。
【０１３９】
また、副画面処理部３３０は、入力された映像信号がＰｉｎＰ画像を含む二次元映像信号である場合、副画面用の画像のリサイズを行ってもよい。
【０１４０】
二画面合成部３４０は、主画面処理部３２０から出力される左眼用画像と、副画面処理部３３０から出力される右眼用画像とを所定のフォーマットに従って合成することで、合成画像を生成する。ここでは、二画面合成部３４０は、図７に示すように１フレーム内に左眼用画像と右眼用画像とをラインシーケンシャル方式で含むように、重畳処理用の水平同期信号（ｈｒｅｓｅｔ２）に基づいて左眼用画像と右眼用画像とを合成する。生成された合成画像は、ＯＳＤ重畳部３６０へ出力される。なお、図７に示す三次元映像信号は、二画面合成部３４０から出力される映像信号の一例を示している。
【０１４１】
また、二画面合成部３４０は、入力された映像信号がＰｉｎＰ画像を含む二次元映像信号である場合は、主画面処理部３２０から出力される主画面用の画像と副画面処理部３３０から出力される副画面用の画像とを合成してもよい。
【０１４２】
第１ＯＳＤ制御部３５０ａは、左眼用ＯＳＤ制御部の一例であって、左眼用ＯＳＤメモリ２０３から第１ＯＳＤ画像を読み出し、読み出した第１ＯＳＤ画像を用いて左眼用ＯＳＤ画像を生成する。図８に示すように、第１ＯＳＤ制御部３５０ａは、メモリ制御部３５１ａと、レジスタ３５２ａと、ＯＳＤ処理部３５４ａとを備える。
【０１４３】
メモリ制御部３５１ａは、ＯＳＤ処理部３５４ａからの要求に応じて、左眼用ＯＳＤメモリ２０３に対するデータの読み出し及び書き込みを制御する。具体的には、メモリ制御部３５１ａは、第１ＯＳＤ画像を示す画像データの読み出し及び書き込みを制御する。
【０１４４】
レジスタ３５２ａは、左眼用ＯＳＤ画像を生成するための左眼用パラメータを保持するレジスタである。具体的には、レジスタ３５２ａは、第１ＯＳＤ画像の画素位置を水平方向にずらす（シフトさせる）ための左眼用パラメータを保持する。例えば、左眼用パラメータは、水平方向への画素位置のずらし量を示す。なお、レジスタ３５２ａは、画像の切り出し位置などを示す切り出しパラメータを保持していてもよい。
【０１４５】
ＯＳＤ処理部３５４ａは、左眼用ＯＳＤ処理部の一例であって、レジスタ３５２ａから左眼用パラメータを取得し、取得した左眼用パラメータを用いて左眼用ＯＳＤ画像を生成する。例えば、ＯＳＤ処理部３５４ａは、左眼用パラメータが示すずらし量だけ、第１ＯＳＤ画像の画素位置をずらすことで左眼用ＯＳＤ画像を生成する。
【０１４６】
ＯＳＤ処理部３５４ａは、さらに、重畳される画像を透過させる透過画像を右眼用の画像領域に生成する。具体的には、ＯＳＤ処理部３５４ａが生成する透過画像は、右眼用画像を透過させる右眼用透過画像である。左眼用ＯＳＤ画像と透過画像とは、１フレームの画像としてＯＳＤ重畳部３６０へ出力される。
【０１４７】
第２ＯＳＤ制御部３５０ｂは、右眼用ＯＳＤ制御部の一例であって、右眼用ＯＳＤメモリ２０４から第２ＯＳＤ画像を読み出し、読み出した第２ＯＳＤ画像を用いて右眼用ＯＳＤ画像を生成する。図８に示すように、第２ＯＳＤ制御部３５０ｂは、メモリ制御部３５１ｂと、レジスタ３５２ｂと、ＯＳＤ処理部３５４ｂとを備える。
【０１４８】
メモリ制御部３５１ｂは、ＯＳＤ処理部３５４ｂからの要求に応じて、右眼用ＯＳＤメモリ２０４に対するデータの読み出し及び書き込みを制御する。具体的には、メモリ制御部３５１ｂは、第２ＯＳＤ画像を示す画像データの読み出し及び書き込みを制御する。
【０１４９】
レジスタ３５２ｂは、右眼用ＯＳＤ画像を生成するための右眼用パラメータを保持するレジスタである。具体的には、レジスタ３５２ｂは、第２ＯＳＤ画像の画素位置を水平方向にずらす（シフトさせる）ための右眼用パラメータを保持するレジスタである。例えば、右眼用パラメータは、水平方向への画素位置のずらし量を示す。なお、レジスタ３５２ｂは、画像の切り出し位置などを示す切り出しパラメータを保持していてもよい。
【０１５０】
ＯＳＤ処理部３５４ｂは、右眼用ＯＳＤ処理部の一例であって、レジスタ３５２ｂから右眼用パラメータを取得し、取得した右眼用パラメータを用いて右眼用ＯＳＤ画像を生成する。例えば、ＯＳＤ処理部３５４ｂは、右眼用パラメータが示すずらし量だけ、第２ＯＳＤ画像の画素位置をずらすことで右眼用ＯＳＤ画像を生成する。
【０１５１】
ＯＳＤ処理部３５４ｂは、さらに、重畳される画像を透過させる透過画像を左眼用の画像領域に生成する。具体的には、ＯＳＤ処理部３５４ｂが生成する透過画像は、左眼用画像を透過させる左眼用透過画像である。右眼用ＯＳＤ画像と透過画像とは、１フレームの画像としてＯＳＤ重畳部３６０へ出力される。
【０１５２】
ＯＳＤ重畳部３６０は、二画面合成部３４０から出力される合成画像に、第１ＯＳＤ制御部３５０ａから出力される左眼用画像及び右眼用透過画像と、第２ＯＳＤ制御部３５０ｂから出力される右眼用画像及び左眼用重畳画像とを重畳する。具体的な処理については、後で図面を用いて説明する。
【０１５３】
同期信号生成部３８０は、映像出力用の水平同期信号（ｈｒｅｓｅｔ１）、重畳処理用の水平同期信号（ｈｒｅｓｅｔ２）、及び垂直同期信号（ｖｒｅｓｅｔ）を生成する。同期信号生成部３８０の詳細な構成について、図９に示す。なお、図９は、実施の形態２に係る同期信号生成部３８０の構成の一例を示すブロック図である。
【０１５４】
図９に示すように、同期信号生成部３８０は、出力用同期信号生成部３８１と、重畳用同期信号生成部３８４とを備える。
【０１５５】
出力用同期信号生成部３８１は、映像出力用の水平同期信号（ｈｒｅｓｅｔ１）と垂直同期信号（ｖｒｅｓｅｔ）とを生成し、映像出力部１７０へ出力する。図９に示すように、出力用同期信号生成部３８１は、水平同期カウンタ３８２と、垂直同期カウンタ３８３とを備える。
【０１５６】
水平同期カウンタ３８２は、映像信号処理装置３００の動作周波数のクロック信号のパルスをカウントすることで、内部処理用の水平同期信号と映像出力用の水平同期信号（ｈｒｅｓｅｔ１）とを生成する。具体的には、水平同期カウンタ３８２は、カウント値が水平画素数に達したときにＬｏｗ状態からＨｉｇｈ状態となるパルスを含む内部処理用の水平同期信号を生成する。また、水平同期カウンタ３８２は、カウント値が水平画素数に達した時と水平画素数の１／２に達した時とにＬｏｗ状態からＨｉｇｈ状態となるパルスを含む映像出力用の水平同期信号（ｈｒｅｓｅｔ１）を生成する。
【０１５７】
ここで、水平画素数は、動作周波数、フレームレート及び画像サイズによって決定される所定の閾値の一例であり、図７に示す例では４３９９（カウント値が０から開始した場合）である。つまり、水平画素数は、有効画像期間（１９２０＋１９２０画素）とブランキング期間（２８０＋２８０画素）との合計値である。
【０１５８】
生成した映像出力用の水平同期信号（ｈｒｅｓｅｔ１）は、映像出力部１７０へ出力される。内部処理用の水平同期信号は、垂直同期カウンタ３８３へ出力される。
【０１５９】
垂直同期カウンタ３８３は、水平同期カウンタ３８２によって生成された内部処理用の水平同期信号に含まれるパルス数をカウントすることで、垂直同期信号（ｖｒｅｓｅｔ）を生成する。具体的には、垂直同期カウンタ３８３は、カウント値が垂直ライン数に達したときにＬｏｗ状態からＨｉｇｈ状態となるパルスを含む垂直同期信号（ｖｒｅｓｅｔ）を生成する。
【０１６０】
ここで、垂直ライン数は、動作周波数、フレームレート及び画像サイズによって決定される所定の閾値の一例であり、図７に示す例では５６３又は５６２が交互に繰り返される。すなわち、平均すると垂直同期信号（ｖｒｅｓｅｔ）は、５６２．５ライン毎に生成される。
【０１６１】
生成した垂直同期信号（ｖｒｅｓｅｔ）は、映像出力部１７０と重畳用同期信号生成部３８４とへ出力される。
【０１６２】
重畳用同期信号生成部３８４は、重畳処理用の水平同期信号（ｈｒｅｓｅｔ２）と垂直同期信号（ｖｒｅｓｅｔ）とを生成し、画像処理部１１０へ出力する。図９に示すように、重畳用同期信号生成部３８４は、水平同期カウンタ３８５と、垂直同期カウンタ３８６とを備える。
【０１６３】
水平同期カウンタ３８５は、映像信号処理装置３００の動作周波数のクロック信号のパルスをカウントすることで、重畳処理用の水平同期信号（ｈｒｅｓｅｔ２）を生成する。具体的には、水平同期カウンタ３８５は、カウント値が上記の水平画素数に達したときにＬｏｗ状態からＨｉｇｈ状態となるパルスを含む重畳処理用の水平同期信号（ｈｒｅｓｅｔ２）を生成する。
【０１６４】
なお、垂直同期カウンタ３８３から垂直同期信号（ｖｒｅｓｅｔ）が入力されると、水平同期カウンタ３８５は、カウント値を０にリセットする。これは、画像処理部３１０と映像出力部１７０とを同期させるためである。生成した重畳処理用の水平同期信号（ｈｒｅｓｅｔ２）は、垂直同期カウンタ３８６と画像処理部３１０とへ出力される。
【０１６５】
垂直同期カウンタ３８６は、水平同期カウンタ３８５によって生成された重畳処理用の水平同期信号（ｈｒｅｓｅｔ２）に含まれるパルスの数をカウントすることで、垂直同期信号（ｖｒｅｓｅｔ）を生成する。具体的には、垂直同期カウンタ３８６は、カウント値が上記の垂直ライン数に達したときに垂直同期信号（ｖｒｅｓｅｔ）を生成する。
【０１６６】
なお、垂直同期カウンタ３８３から垂直同期信号（ｖｒｅｓｅｔ）が入力されると、垂直同期カウンタ３８６は、カウント値を０にリセットする。これは、画像処理部３１０と映像出力部１７０とを同期させるためである。なお、これにより、垂直同期カウンタ３８６は、垂直同期カウンタ３８３と同じタイミングで垂直同期信号（ｖｒｅｓｅｔ）を生成する。生成した垂直同期信号（ｖｒｅｓｅｔ）は、画像処理部３１０へ出力される。
【０１６７】
なお、垂直同期信号（ｖｒｅｓｅｔ）は映像出力用と重畳処理用とで同じであるので、出力用同期信号生成部３８１と重畳用同期信号生成部３８４とのいずれか一方でのみ生成し、映像出力部１７０と画像処理部１１０とへ出力してもよい。
【０１６８】
次に、左眼用画像及び右眼用画像に左眼用ＯＳＤ画像及び右眼用ＯＳＤ画像を重畳する処理について説明する。図１０は、実施の形態２に係るＯＳＤ画像の重畳処理を示す模式図である。
【０１６９】
図７に示したように、実施の形態２に係る三次元映像信号は、左眼用画像と右眼用画像とをラインシーケンシャル方式で含んでいる。すなわち、図１０に示すように、ＯＳＤ重畳部３６０には、二画面合成部３４０から、左眼用画像と右眼用画像とが１フレームの画像として入力される。このとき、ＯＳＤ重畳部３６０には、図７に示すように重畳処理用の水平同期信号（ｈｒｅｓｅｔ２）が供給されるので、ＯＳＤ重畳部３６０は、左眼用画像と右眼用画像との区切りを認識することなく、１フレームの画像として認識する。
【０１７０】
第１ＯＳＤ制御部３５０ａは、左眼用ＯＳＤ画像と透過画像とを１フレームの画像として生成する。具体的には、第１ＯＳＤ制御部３５０ａには、重畳処理用の水平同期信号（ｈｒｅｓｅｔ２）が供給されるので、第１ＯＳＤ制御部３５０ａは、左眼用ＯＳＤ画像の終わりを認識することなく、左眼用ＯＳＤ画像と右眼用画像領域に生成した透過画像とを合わせて１フレームの画像として認識する。
【０１７１】
同様に、第２ＯＳＤ制御部３５０ｂは、右眼用ＯＳＤ画像と透過画像とを１フレームの画像として生成する。具体的には、第２ＯＳＤ制御部３５０ｂには、重畳処理用の水平同期信号（ｈｒｅｓｅｔ２）が供給されるので、第２ＯＳＤ制御部３５０ｂは、右眼用ＯＳＤ画像の始まりを認識することなく、左眼用画像領域に生成した透過画像と右眼用ＯＳＤ画像とをあわせて１フレームの画像として認識する。
【０１７２】
以上のように、ＯＳＤ重畳部３６０には、二画面合成部３４０から１フレームの画像として左眼用画像と右眼用画像とから構成される合成画像が入力される。また、ＯＳＤ重畳部３６０には、第１ＯＳＤ制御部３５０ａから、１フレームの画像として左眼用ＯＳＤ画像と右眼用透過画像とが入力され、第２ＯＳＤ制御部３５０ｂから、１フレームの画像として右眼用ＯＳＤ画像と左眼用透過画像とが入力される。
【０１７３】
ＯＳＤ重畳部３６０は、まず、第１ＯＳＤ制御部３５０ａから入力される左眼用ＯＳＤ画像と右眼用透過画像とを合成画像に重畳する。具体的には、ＯＳＤ重畳部３６０は、左眼用画像に左眼用ＯＳＤ画像を重畳し、右眼用画像に右眼用透過画像を重畳する。これにより、ＯＳＤ重畳部３６０は、左眼用ＯＳＤ画像が重畳された左眼用出力画像と、右眼用画像とを含む重畳後の合成画像を生成する。
【０１７４】
続いて、ＯＳＤ重畳部３６０は、第２ＯＳＤ制御部３５０ｂから入力される右眼用ＯＳＤ画像と左眼用透過画像とを、重畳後の合成画像に重畳する。具体的には、ＯＳＤ重畳部３６０は、左眼用出力画像に左眼用透過画像を重畳し、右眼用画像に右眼用ＯＳＤ画像を重畳する。これにより、ＯＳＤ重畳部３６０は、左眼用ＯＳＤ画像が重畳された左眼用出力画像と、右眼用ＯＳＤ画像が重畳された右眼用出力画像とを含む出力画像を生成し、映像出力部１７０へ出力する。
【０１７５】
次に、実施の形態２に係る映像信号処理装置３００の動作について説明する。なお、実施の形態２に係る映像信号処理装置３００の主な動作は、図５を用いて説明した実施の形態１に係る映像信号処理装置１００の動作と同じであるので、以下では異なる点を中心に説明する。
【０１７６】
図１１は、実施の形態２に係るＯＳＤ重畳部３６０の動作の一例を示すフローチャートである。
【０１７７】
まず、ＯＳＤ重畳部３６０は、重畳処理用の水平同期信号（ｈｒｅｓｅｔ２）の検出を行う（Ｓ２３１）。重畳処理用の水平同期信号（ｈｒｅｓｅｔ２）のパルスが検出された場合（Ｓ２３１でＹｅｓ）、ＯＳＤ重畳部３６０は、１ライン分の合成画像に１ライン分の左眼用ＯＳＤ画像と右眼用透過画像とを重畳する（Ｓ２３２）。続いて、ＯＳＤ重畳部３６０は、１ライン分の重畳後の合成画像に左眼用透過画像と右眼用ＯＳＤ画像とを重畳する（Ｓ２３３）。
【０１７８】
ＯＳＤ重畳部３６０は、垂直同期信号（ｖｒｅｓｅｔ）のパルスが検出されるまで、上記の重畳処理（Ｓ２３１〜Ｓ２３３）を繰り返す（Ｓ２３４）。さらに、ＯＳＤ重畳部３６０は、三次元映像信号が終了するまで、あるいは、左眼用ＯＳＤ画像及び右眼用ＯＳＤ画像が終了するまで、以上の重畳処理（Ｓ２３１〜Ｓ２３４）を繰り返す（Ｓ２３５）。
【０１７９】
以上のようにして、ＯＳＤ重畳部３６０は、左眼用画像と右眼用画像とを１ピクチャ（１フレーム）として認識し、左眼用ＯＳＤ画像の重畳と右眼用ＯＳＤ画像の重畳とを行う。
【０１８０】
なお、重畳によって生成された左眼用出力画像と右眼用出力画像とを含む出力画像は、映像出力用の水平同期信号（ｈｒｅｓｅｔ１）に基づいて、映像出力部１７０によって出力される。
【０１８１】
なお、上記の説明では、重畳処理を１ライン毎に行う構成について説明したが、１ピクチャ毎に行ってもよい。また、左眼用ＯＳＤ画像と右眼用透過画像とを重畳した後に、左眼用透過画像と右眼用ＯＳＤ画像とを重畳する構成について説明したが、左眼用透過画像と右眼用ＯＳＤ画像とを重畳した後に、左眼用ＯＳＤ画像と右眼用透過画像とを重畳してもよい。
【０１８２】
以上のように、実施の形態２に係る映像信号処理装置３００は、左眼用ＯＳＤ画像を生成する第１ＯＳＤ制御部３５０ａと、右眼用ＯＳＤ画像を生成する第２ＯＳＤ制御部３５０ｂとを備える。第１ＯＳＤ制御部３５０ａは、左眼用パラメータを保持するレジスタ３５２ａと、左眼用パラメータを用いて左眼用ＯＳＤ画像を生成するＯＳＤ処理部３５４ａとを備える。第２ＯＳＤ制御部３５０ｂは、右眼用パラメータを保持するレジスタ３５２ｂと、右眼用パラメータを用いて右眼用ＯＳＤ画像を生成するＯＳＤ処理部３５４ｂとを備える。
【０１８３】
具体的には、実施の形態２に係る映像信号処理装置３００は、左眼用画像と右眼用画像とをラインシーケンシャル方式で含む三次元映像信号を処理する。三次元映像信号を二次元映像信号と同様に処理するため、同期信号生成部３８０は、重畳処理などの画像処理用の水平同期信号（ｈｒｅｓｅｔ２）と映像出力用の水平同期信号（ｈｒｅｓｅｔ１）とを生成する。
【０１８４】
重畳処理用の水平同期信号（ｈｒｅｓｅｔ２）は、左眼用画像と右眼用画像とのいずれか一方のみのラインの区切りを示す。すなわち、重畳処理用の水平同期信号（ｈｒｅｓｅｔ２）が供給される画像処理部３１０は、左眼用画像と右眼用画像とを１フレーム分の画像として、すなわち、二次元画像として処理することが可能となる。
【０１８５】
なお、従来の二次元画像を出力する映像信号処理装置は、例えば、重畳画像を生成するためのパラメータを保持するレジスタと、パラメータを用いて重畳画像を生成するＯＳＤ処理部とを有する２つのＯＳＤ制御部を備えている。したがって、実施の形態２に係る映像信号処理装置は、従来の２つのＯＳＤ制御部を第１ＯＳＤ制御部３５０ａとして、及び、第２ＯＳＤ制御部３５０ｂとして用いることができる。
【０１８６】
これにより、実施の形態２に係る映像信号処理装置３００は、従来の映像信号処理装置の回路構成を大幅に変更することなく実現可能であり、コストの増加を抑制することができるとともに、三次元映像信号を処理することが可能となる。
【０１８７】
なお、実施の形態２に係る映像信号処理装置３００が備える主画面処理部３２０及び副画面処理部３３０はそれぞれ、従来の映像信号処理装置の主画面処理部と副画面処理部とを用いることができる。主画面処理部と副画面処理部とは、例えば、ＰｉｎＰ画像を生成する際に用いられる処理部である。この点においても、実施の形態２に係る映像信号処理装置３００は、コストの増加を抑制することができる。
【０１８８】
なお、本発明に係る映像信号処理装置１００は、図１２に示すようなデジタルビデオレコーダ２０及びデジタルテレビ３０に搭載される。
【０１８９】
以上、本発明の映像信号処理装置及び映像信号処理方法について、上記実施の形態に基づいて説明してきたが、本発明は、上記の実施の形態に限定されないのは言うまでもない。以下のような場合も本発明の範囲に含まれる。
【０１９０】
例えば、各実施の形態では、フルハイビジョン画像（１９２０×１０８０）を例に説明したが、ＶＧＡ（６４０×４８０）、又はハイビジョン画像（１２８０×７２０）などであってもよい。また、動作周波数、フレームレート及び走査方式も上記の例に限られない。
【０１９１】
また、上記の各装置は、具体的には、マイクロプロセッサ、ＲＯＭ、ＲＡＭ、ハードディスクユニット、ディスプレイユニット、キーボード、マウスなどから構成されるコンピュータシステムである。ＲＡＭ又はハードディスクユニットには、コンピュータプログラムが記憶されている。マイクロプロセッサが、コンピュータプログラムに従って動作することにより、各装置は、その機能を達成する。ここでコンピュータプログラムは、所定の機能を達成するために、コンピュータに対する指令を示す命令コードが複数個組み合わされて構成されたものである。
【０１９２】
また、上記の各装置を構成する構成要素の一部又は全部は、１個のシステムＬＳＩから構成されているとしてもよい。システムＬＳＩは、複数の構成要素を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【０１９３】
また、上記の各装置を構成する構成要素の一部又は全部は、各装置に脱着可能なＩＣカード又は単体のモジュールから構成されているとしてもよい。ＩＣカード又はモジュールは、マイクロプロセッサ、ＲＯＭ、ＲＡＭなどから構成されるコンピュータシステムである。ＩＣカード又はモジュールは、上記の超多機能ＬＳＩを含むとしてもよい。マイクロプロセッサが、コンピュータプログラムに従って動作することにより、ＩＣカード又はモジュールは、その機能を達成する。このＩＣカード又はモジュールは、耐タンパ性を有するとしてもよい。
【０１９４】
また、本発明は、上記に示す方法であるとしてもよい。また、これらの方法をコンピュータにより実現するコンピュータプログラムであるとしてもよいし、コンピュータプログラムからなるデジタル信号であるとしてもよい。
【０１９５】
また、本発明は、コンピュータプログラム又はデジタル信号をコンピュータ読み取り可能な記録媒体、例えば、フレキシブルディスク、ハードディスク、ＣＤ−ＲＯＭ、ＭＯ（Ｍａｇｎｅｔｏ−Ｏｐｔｉｃａｌ  Ｄｉｓｋ）、ＤＶＤ（Ｄｉｇｉｔａｌ  Ｖｅｒｓａｔｉｌｅ  Ｄｉｓｃ）、ＤＶＤ−ＲＯＭ、ＤＶＤ−ＲＡＭ、ＢＤ、半導体メモリなどに記録したものとしてもよい。また、これらの記録媒体に記録されているデジタル信号であるとしてもよい。
【０１９６】
また、本発明は、コンピュータプログラム又はデジタル信号を、電気通信回線、無線又は有線通信回線、インターネットを代表とするネットワーク、データ放送などを経由して伝送するものとしてもよい。
【０１９７】
また、本発明は、マイクロプロセッサとメモリを備えたコンピュータシステムであって、メモリは、上記コンピュータプログラムを記憶しており、マイクロプロセッサは、コンピュータプログラムに従って動作するとしてもよい。
【０１９８】
また、プログラム又はデジタル信号を記録媒体に記録して移送することにより、あるいはプログラム又はデジタル信号を、ネットワークなどを経由して移送することにより、独立した他のコンピュータシステムにより実施するとしてもよい。
【産業上の利用可能性】
【０１９９】
本発明に係る映像信号処理装置及び映像信号処理方法は、従来の映像信号処理装置の回路を可能な限り利用することで、コストの増加を抑制することができるという効果を奏し、例えば、デジタルテレビ及びデジタルビデオレコーダなどに適用することができる。
【符号の説明】
【０２００】
１０  映像信号処理システム
２０  デジタルビデオレコーダ
２１、３１  入力部
２２、３２  デコーダ
２３、３３  ＨＤＭＩ通信部
３０  デジタルテレビ
３４  表示パネル
３５  トランスミッタ
４０  シャッタメガネ
４１  ＨＤＭＩケーブル
４２  記録媒体
４３  放送波
５１、５４  三次元映像信号
５２、５５、５６  入力三次元映像信号
５３、５７  出力三次元映像信号
１００、３００  映像信号処理装置
１１０、３１０  画像処理部
１２０、３２０  主画面処理部
１２１、１５１、３２１、３３１、３５１ａ、３５１ｂ  メモリ制御部
１２２、３２２、３３２  リサイズ部
１５０  ＯＳＤ制御部
１５２  第１レジスタ
１５３  第２レジスタ
１５４、３５４ａ、３５４ｂ  ＯＳＤ処理部
１６０、３６０  ＯＳＤ重畳部
１７０  映像出力部
１８０、３８０  同期信号生成部
２０１  左眼用画像メモリ
２０２  右眼用画像メモリ
２０３  左眼用ＯＳＤメモリ
２０４  右眼用ＯＳＤメモリ
３３０  副画面処理部
３４０  二画面合成部
３５０ａ  第１ＯＳＤ制御部
３５０ｂ  第２ＯＳＤ制御部
３５２ａ、３５２ｂ  レジスタ
【図１】
0005502436.tif 000002
【図２】
0005502436.tif 000003
【図３】
0005502436.tif 000004
【図４】
0005502436.tif 000005
【図５】
0005502436.tif 000006
【図６】
0005502436.tif 000007
【図７】
0005502436.tif 000008
【図８】
0005502436.tif 000009
【図９】
0005502436.tif 000010
【図１０】
0005502436.tif 000011
【図１１】
0005502436.tif 000012
【図１２】
0005502436.tif 000013